(57)【特許請求の範囲】
【請求項１】
前後方向に延設される複数の縦壁部及び左右方向に延設される複数の横壁部における各前記縦壁部及び各前記横壁部の上面により形成される上面部と、後方に形成されて対応する前記上面部が凹状の坐骨保持部と、前記坐骨保持部の前側及び後側に配置され前記坐骨保持部以外の前記上面部で形成され前後方向の断面視において直線状に前傾して形成される基本スライド面と、を備えるベース部材と、
下面が前記基本スライド面と摺接するようにして前記ベース部材に前後移動可能に設けられ、前記坐骨保持部に倣って変形可能な変形部を備えるインナシートと、
前記インナシートに設けられて前記変形部に倣って変形可能な座面を備えるアウタシートと、
を有し、
前記坐骨保持部は、前後方向の断面視において、前記坐骨保持部の前記上面部の最深部から前後方向所定距離における、該最深部から前記坐骨保持部の前記上面部までの高さが前部よりも後部が高くなるよう形成される部位を有することを特徴とする椅子。
【請求項２】
前記坐骨保持部の前記上面部及び前記基本スライド面の前記上面部の左右方向は凹湾曲状に形成され、前記坐骨保持部の前記上面部の前後方向は凹湾曲状に形成されることを特徴とする請求項１に記載の椅子。
【請求項３】
前記基本スライド面が前傾する角度は、３度〜５度の範囲であることを特徴とする請求項１又は請求項２に記載の椅子。
【発明の詳細な説明】
【技術分野】
【０００１】
本発明は、座面がスライドする椅子に関する。
【背景技術】
【０００２】
従来から、凹部を備えるベース部材と、該凹部に倣って変形する変形部を備えるインナシートとを有して、着座時に座面が坐骨を支えるように該変形部が変形する椅子が開示されている。例えば、特許文献１に開示される椅子は、着座時に体圧が強くかかる部位は容易に伸び変形して後端縁寄りは剛体部が形成されるインナシート（座板）を備える。インナシートの上面は、後方に行くにしたがって高くなるように形成される。また、該椅子は、レバー装置により座面が前後に移動可能に形成される。
【先行技術文献】
【特許文献】
【０００３】
【特許文献１】特許第５７６３９１８号公報
【発明の概要】
【発明が解決しようとする課題】
【０００４】
特許文献１に開示される椅子のように、インナシートを着座時に変形させて、座面の後方を高くして骨盤を支持し、背凭れで腰部を支持すれば、ＯＡ作業等で長時間着座姿勢を続けても腰痛等を低減させることができることが知られている。しかしながら、体格差に応じて座面を前後に大きく移動可能に構成した場合には、例えば座面が後端に位置する場合には理想に近い着座姿勢を実現できたとしても、座面が前端に位置すると、座面の後方を高くした部分が前に移動し自然に着座できる位置が前になってしまうため、背凭れと腰部に空間ができてしまい、背凭れが腰部を支持できなくなることにより、腰痛や疲労が増加することがあった。また、座面の後方を高くした部分を、座面が前端に位置するときにちょうど良い座り位置に構成すると、座面の後方への移動時には座面の後方を高くした部分が後方へ移動し骨盤を支持することができなくなることがあった。また、特許文献１に開示されるように、インナシートの中間部が変形容易で体圧により沈むように変形し、前側部が容易に変形しない椅子では、着座時に座面の前方が相対的に高くなるため大腿が押し上げられ、姿勢のくずれや圧迫による血行不良の原因になる場合があった。
【０００５】
本発明は、座面の前後の位置に関わらず理想的な着座姿勢に近い状態で使用することができる椅子を提供することを目的とする。
【課題を解決するための手段】
【０００６】
本発明に係る椅子は、後方に形成される凹状の坐骨保持部を備えるベース部材と、前記ベース部材に前後移動可能に設けられ、前記坐骨保持部に倣って変形可能な変形部を備えるインナシートと、前記インナシートに設けられて前記変形部に倣って変形可能な座面を備えるアウタシートと、を有し、前記坐骨保持部は、前後方向の断面視において、最深部から前後方向所定距離における該最深部からの高さが前部よりも後部が高くなるよう形成される部位を有し、前記ベース部材は、前記坐骨保持部の前方の上面部が前傾して形成される、ことを特徴とする。
【発明の効果】
【０００７】
本発明によれば、座面の前後の位置に関わらず理想的な着座姿勢に近い状態で使用することができる椅子を提供することができる。
【図面の簡単な説明】
【０００８】
【図１】本発明の実施形態に係る椅子を示す図であり、（ａ）は前方左側から見た斜視図であり、（ｂ）は前方左側から見た分解斜視図である。
【図２】本発明の実施形態に係る椅子のベース部材を上方左側から見た斜視図である。
【図３】本発明の実施形態に係る椅子のインナシートを上方側から見た斜視図である。
【図４】本発明の実施形態に係る椅子のインナシートを下方側から見た斜視図である。
【図５】本発明の実施形態に係る椅子のレバー周辺を上方から見たレバーとベース部材とを示す平面図である。
【図６】本発明の実施形態に係る椅子のベース部材とインナシートにおける図２のＶＩ−ＶＩ断面に相当する断面図である。本図では、インナシートは後端に位置している。
【図７】本発明の実施形態に係る椅子のベース部材とインナシートにおける図２のＶＩＩ−ＶＩＩ断面に相当する断面図である。本図では、インナシートは後端に位置している。
【図８】本発明の実施形態に係る椅子のベース部材とインナシートにおける図３のＶＩＩＩ−ＶＩＩＩ断面に相当する断面図である。本図では、インナシートは後端に位置している。
【図９】本発明の実施形態に係る椅子のベース部材とインナシートにおける図３のＩＸ−ＩＸ断面に相当する断面図である。本図では、インナシートは前端に位置している。
【図１０】本発明の実施形態に係る椅子に関して、座面がスライドする椅子の好適な着座姿勢と座面形状について説明するための説明図である。
【図１１】本発明の実施形態に係る椅子の着座時のアウタシートの変形状態を示す断面図である。
【発明を実施するための形態】
【０００９】
次に、本発明の実施形態を図に基づいて説明する。図１（ａ），（ｂ）に示すように、本発明の実施形態に係る椅子１は、脚部１０と、昇降機構と、ロッキング機構３０と、背凭れ４０と、座５０と、を備える。なお、以下の説明においては、着座状態で見た前方側を前、その反対側を後として、椅子１の上方を上、下方を下とし、着座状態における左手側を左、右手側を右として説明する。
【００１０】
脚部１０は、放射状に延設される５本の脚杆１１が設けられ、各脚杆１１には、キャスター１２が設けられる。脚部１０の中央の支柱１３は、ガススプリング等を備える公知の構造の昇降機構が備えられている。支柱１３はロッキング機構３０を介して座５０を支持する。ロッキング機構３０の昇降レバー３２の回動操作で支柱１３の昇降機構のロックを解除することにより座５０の上下方向の位置を調節することができる。
【００１１】
ロッキング機構３０は、コイルスプリング等を内装する公知の構造で構成されて、背凭れ４０の背アーム４１と接続する。そして、ロッキング切替レバー３１を回動させて、背凭れ４０のロッキングの固定・フリーを切り替え操作することができる。
【００１２】
座５０は、ロッキング機構３０の上方に接続するベース部材５１と、ベース部材５１の上面部に前後移動可能に設けられるインナシート５２と、インナシート５２の上面部５２０に設けられてクッション材料に布が被せられて形成されるアウタシート５３と、を備える。アウタシート５３は、インナシート５２の変形部５２ｂに倣って変形可能な座面５３ａを上面に備える。インナシート５２には、座面５３ａの前後方向の位置を調節するためのスライドレバー５４を備える。
【００１３】
図２に示すように、ベース部材５１は、上面部５１０側が開放される略シェル状とされ、上面部５１０の左右方向は凹湾曲状に形成されるベース部材本体５１ａを備える。ベース部材本体５１ａの内部には、前後方向に延設される複数の縦壁部５１１と、左右方向に延設される複数の横壁部５１２を備える。複数の縦壁部５１１及び複数の横壁部５１２は、薄い板状のリブとして形成される。複数の縦壁部５１１及び複数の横壁部５１２により、ベース部材５１のベース部材本体５１ａの内部は、上面部５１０側が開口する複数のセル状に形成される。従って、ベース部材５１は、軽量かつ高剛性に形成される。ベース部材５１の上面（上面部５１０）は、各縦壁部５１１及び横壁部５１２の上面により形成される。
【００１４】
ベース部材５１の上面部５１０の後方側には、略すり鉢状とされる凹状の坐骨保持部５１ｂが形成される。坐骨保持部５１ｂは、２点鎖線で示すように、人の坐骨周辺の形状に合わせて、上面視において縁線が左右に長い略楕円形状とされる。従って、坐骨保持部５１ｂの上面部５１０ａは、該楕円形状の中心から前後、左右に亘って漸次高くなるよう形成される。
【００１５】
坐骨保持部５１ｂの上面部５１０ａの左右方向は、ベース部材５１の左右方向の中心に対して対称な略凹湾曲状に形成される。坐骨保持部５１ｂの上面部５１０ａの前後方向は、略凹湾曲状に形成される。具体的には、坐骨保持部５１ｂの上面部５１０ａは、図７に示す前後方向の断面における、坐骨保持部５１ｂの上面部５１０ａの最深部ＤＰから前後方向の所定距離Ｓにおける最深部ＤＰからの高さが、前部（高さＦＨ）よりも後部（高さＲＨ）が高くなるよう形成される。ＦＨ＜ＲＨの関係は、坐骨保持部５１ｂにおけるほぼ全ての前後方向の断面において成り立っている。換言すれば、坐骨保持部５１ｂは、後方側の傾斜よりも前方側の傾斜が緩く形成されている部位を有する。
【００１６】
また、図２に示すように、ベース部材５１の坐骨保持部５１ｂ以外の上面部５１０は、基本スライド面５１ｃが形成される。基本スライド面５１ｃは、前後方向の断面視において略直線状に前傾して形成される。図７に示すように、基本スライド面５１ｃが前傾する角度θ１は、水平面に対して約３度〜約５度の範囲で設定される。このようにして、坐骨保持部５１ｂの前方側及び後方側を含む坐骨保持部５１ｂの周囲の上面部５１０は、前後方向に傾斜して形成される。
【００１７】
なお、坐骨保持部５１ｂは、その中心部分で坐骨を受ける坐骨受面が形成され、該坐骨受面の周囲には骨盤を支持する骨盤受面が形成される。また、坐骨保持部５１ｂと基本スライド面５１ｃとの間の領域には、両者を滑らかに接続する接続面が形成される。
【００１８】
また、図２に示すように、ベース部材５１は、上方に突出するように、左右・前後の４か所に第１ガイド部５１ｄ（ガイド部）が設けられる。第１ガイド部５１ｄは、前後方向から見て略Ｔ字状に形成されるよう上面視矩形の頭部５１ｄ１が基板５１ｄ２の上端に形成される。基板５１ｄ２は、後述するインナシート５２のスリット５２ｃ２と係合してインナシート５２を案内する（図６も参照）。このようにして、ベース部材５１の前方側左右２か所及び坐骨保持部５１ｂの側方左右２か所の合計４か所に第１ガイド部５１ｄが形成される。
【００１９】
一方、ベース部材５１の左右方向の中央部であって、後方の第１ガイド部５１ｄよりも更に後方には、第２ガイド部５１ｅ（ガイド部）が設けられる。第２ガイド部５１ｅは、第１ガイド部５１ｄと同様に、上面視矩形の頭部５１ｅ１が基板５１ｅ２の上端に形成されて前後方向から見て略Ｔ字状に形成される。基板５１ｅ２は、インナシート５２のスリット５２ｄ２を案内する（図７も参照）。
【００２０】
第２ガイド部５１ｅの基部から前方に延びる縦壁部５１１の上面は、後述するインナシート５２の第２スライド部５２ｄの受け部５１ｅ３とされる。受け部５１ｅ３は前述のθ１よりも大きく前傾して傾斜し、第２スライド部５２ｄが周囲の撓みに合わせて傾くことができるようにしている。このとき、第２ガイド部５１ｅにより、インナシート５２の後方側の浮き上がりが抑制される。なお、図２において二点鎖線で示す第１スライド部５２ｃ、第２スライド部５２ｄは、第１スライド部５２ｃ、第２スライド部５２ｄがインナシート５２の下面から突出する外形を表している。
【００２１】
ベース部材５１の左側縁付近の前方には、インナシート５２及びアウタシート５３（すなわち、アウタシート５３の座面５３ａ）の前後のスライド位置決め用のスライドレバー５４と係合する位置決め部５４ａが形成される。位置決め部５４ａは、四角柱状の規制柱５４ａ１が等ピッチで前後方向に複数形成されている（図５も参照）。規制柱５４ａ１のピッチが、インナシート５２（アウタシート５３）の移動ピッチとなる。
【００２２】
ベース部材５１の上面部５１０の前方（すなわち、前方側の基本スライド面５１ｃ）には、被係合部である山形被係合部５１ｆが左右それぞれ２か所（合計４か所）に設けられる。各山形被係合部５１ｆは、一の縦壁部５１１の上面に形成されるものであり、該縦壁部５１１の上面が前後方向に連続する側面視山形状に形成される。
【００２３】
図３、図４に示すように、インナシート５２は、略板状に形成される。インナシート５２の外周縁部には、複数のノッチ５２ａが設けられる。ノッチ５２ａにより、アウタシート５３の布の縁が、通常使用時の外観上見えないように押えられている。
【００２４】
インナシート５２の左側の縁部近傍前方寄りには、スライドレバー５４が回動自在に設けられる。図５にも示すように、スライドレバー５４は、インナシート５２の外周から突出する操作板部５４ｂと、係合板部５４ｃを備える。操作板部５４ｂと係合板部５４ｃは、各板状の端部が回動軸５４ｄを介して所定角度で交差する。係合板部５４ｃには、ベース部材５１の位置決め部５４ａの規制柱５４ａ１と係合可能な凹部を有するロック部５４ｃ１が形成される。スライドレバー５４は、回動軸５４ｄに図示しないねじりコイルバネが巻回されて、ロック部５４ｃ１と規制柱５４ａ１が係合する方向（操作板部５４ｂが下方に回動する方向）に付勢されている。このようにして、インナシート５２の前後移動を等ピッチで移動させてロック可能なスライドロック機構５４０が形成される。
【００２５】
インナシート５２は、ベース部材５１の坐骨保持部５１ｂに倣って変形可能な変形部５２ｂを備える。変形部５２ｂは、坐骨保持部５１ｂに対応して位置される。変形部５２ｂは、略ブーメラン形状の孔部５２ｂ１を複数備える。一部の孔部５２ｂ１は、ブーメラン形状の一部のみの形状で開口される（例えば孔部５２ｂ２）。変形部５２ｂは、頂部を前後方向に向けた複数の孔部５２ｂ１が前後方向に並び、左右方向に隣り合う列の複数の孔部５２ｂ１とは頂部を反対側に向けて、隣接する孔部５２ｂ１同士が近接して（前後方向から見てオーバーラップするように）配置される。複数の孔部５２ｂ１の一部は、隣り合う孔部５２ｂ１同士が連結し、他の一部は、隣り合う孔部５２ｂ１同士が重ならない（接続しない）よう近接している。複数の孔部５２ｂ１の間は、平面視略波形状とされる梁状部５２ｂ３が形成される。このようにして、変形部５２ｂは、着座時に変形可能な程度の可撓性を備える。
【００２６】
インナシート５２の前側左右２か所、後側左右２か所（合計４か所）には、第１スライド部５２ｃ（スライド部）が設けられる。インナシート５２の中央部後方には、第２スライド部５２ｄ（スライド部）が設けられる。第１スライド部５２ｃ及び第２スライド部５２ｄは、それぞれベース部材５１の第１ガイド部５１ｄ、第２ガイド部５１ｅが係合する。第１スライド部５２ｃ及び第２スライド部５２ｄは、それぞれ、第１ガイド部５１ｄ、第２ガイド部５１ｅの頭部５１ｄ１，５１ｅ１が挿通される矩形の通し孔５２ｃ１，５２ｄ１が形成される。通し孔５２ｃ１，５２ｄ１には、それぞれ前後方向に長いスリット５２ｃ２，５２ｄ２が接続する。スリット５２ｃ２，５２ｄ２は、第１ガイド部５１ｄ、第２ガイド部５１ｅの基板５１ｄ２，５１ｅ２が挿通され案内される（図６、図７参照）。
【００２７】
第１スライド部５２ｃ及び第２スライド部５２ｄは、下面側に突出して形成される。第１スライド部５２ｃは、着座時に変形部５２ｂが凹状に変形すると、インナシート５２の左右方向の中心に向けて引っ張られて移動するが、下面に突出する第１スライド部５２ｃの面と対向する、ベース部材５１の縦壁部５１１（具体的には、左右外側の山形被係合部５１ｆが形成される縦壁部５１１）の面が当接して、第１スライド部５２ｃの該移動は規制される（図２も参照）。
【００２８】
インナシート５２の下面には、前方側の左右それぞれ２か所（合計４か所）に山形係合部５２ｅが形成される。図８に示すように、係合部である各山形係合部５２ｅは、ベース部材５１において対応する各山形被係合部５１ｆと同形状に形成されて係合可能に形成される。各山形係合部５２ｅ及び各山形被係合部５１ｆの山形形状のピッチは、スライドロック機構５４０におけるインナシート５２の移動ピッチ（規制柱５４ａ１の前後方向のピッチ）と略同一に形成される。非着座時には、各山形係合部５２ｅと各山形被係合部５１ｆは係合して当接しているが、インナシート５２の移動時には、各山形係合部５２ｅは容易に各山形被係合部５１ｆを乗り越えて移動することができる。ここで、インナシート５２の前後方向の移動ピッチ（すなわち、規制柱５４ａ１が並ぶピッチ）と各山形係合部５２ｅ及び各山形被係合部５１ｆのピッチを略同一としているので、インナシート５２は、各山形係合部５２ｅと各山形被係合部５１ｆが係合する位置をロック可能な位置（スライドレバー５４のロック部５４ｃ１が規制柱５４ａ１に係合する位置）として確実に位置決めすることができる。一方着座時には、各山形係合部５２ｅと各山形被係合部５１ｆは、着座によりインナシート５２が下方向荷重を受けると、互いに押圧して係合するので、インナシート５２の前後方向の移動が規制される。
【００２９】
図４に示すように、インナシート５２の下面には、複数の突起部５２ｆ（係合部）が形成される。突起部５２ｆは、変形部５２ｂの梁状部５２ｂ３の下面から下方に突出して形成される。ここで、インナシート５２は、図８に示すように、非着座時において、ベース部材５１の坐骨保持部５１ｂの上面部５１０ａと、坐骨保持部５１ｂに対応する変形部５２ｂの下面と、の間には空間が形成され、基本スライド面５１ｃに対応するインナシート５２の下面は、基本スライド面５１ｃと摺接する（図７参照）。なお、ベース部材本体５１ａの縁部上面は、インナシート５２の下面と近接又は摺接する。そして、着座すると、インナシート５２の変形部５２ｂは、着座時の下方向荷重を受けて下方に沈み込む。すると、突起部５２ｆは、何れかの横壁部５１２（被係合部）と当接可能な状態となる。従って、インナシート５２の前後方向への移動が規制される。なお、ベース部材５１の上面部５１０には、適宜、突起部５２ｆとの干渉を防止するための切欠き５１２ａ（図２参照）が形成される。ベース部材５１の上面部５１０の前方側に形成される切欠き５１２ａは、インナシート５２の前方へのスライド時の干渉防止のためのものであり、後側の切欠き５１２ａは、変形部５２ｂの変形時の干渉防止のためのものである。
【００３０】
また、インナシート５２の前方下面には、左右２か所にそれぞれ前進規制突起５２ｇが設けられる。前進規制突起５２ｇは、左右それぞれ２個ずつ配置される。各２個の前進規制突起５２ｇは、Ｕ字状の切り抜き部５２ｇ１により弾性力を備える板バネ部５２ｇ２に形成される。板バネ部５２ｇ２は、インナシート５２をベース部材５１に取り付ける際に、後方に押し込むと前進規制突起５２ｇの傾斜部分により持ち上げられて弾発する。図９に示すように、前進規制突起５２ｇは、インナシート５２の前進限にてベース部材５１の前壁５１５と当接し、インナシート５２の前進移動が規制される。なお、インナシート５２の後退限は、第１スライド部５２ｃ及び第２スライド部５２ｄのスリット５２ｃ２，５２ｄ２における閉塞された前端に第１ガイド部５１ｄ、第２ガイド部５１ｅの基板５１ｄ２，５１ｅ２が当接して設定される。
【００３１】
インナシート５２の変形部５２ｂの前方側には、前後方向に長いリブ５２ｈが形成されている。リブ５２ｈにより、変形部５２ｂの前方の剛性が高められている。
【００３２】
このように形成される椅子１では、スライドレバー５４を上方に持ち上げるようにして回動させることにより、アウタシート５３及びインナシート５２を前後にスライドさせて、体格に合わせて座面５３ａの位置を調節することができる。アウタシート５３の座面５３ａに着座すると、インナシート５２の変形部５２ｂは坐骨保持部５１ｂの形状に倣って変形し、アウタシート５３の座面５３ａは変形部５２ｂの変形に倣って変形する。
【００３３】
ここで、図１０により、座面がスライドする椅子の好適な着座姿勢と座面形状について説明する。図１０（Ａ−１）（Ａ−２）に示すように、平坦な座面に着座する場合には、背凭れで背中をサポートしていても、大腿の角度が人の姿勢の中立位置における大腿の角度よりも小さくなるため、骨盤が後方側に回転する力が働き、腰痛等の要因となる。そこで、図１０（Ｂ−１）に示すように、座の後方を高くして骨盤が後方に回転する力と逆向きの力で骨盤後方を押し返すので好適である。しかし、座面が前端に位置する場合には、図１０（Ｂ−２）に示すように、図１０（Ｂ−１）に示す位置よりも前方側の位置に座ることになり、背凭れと背中に空間が生じて、背中が背凭れによりサポートされず、好適な着座姿勢とすることができない。なお、座面が前端に位置するときに好適な着座姿勢となるよう座面形状を設定すると、座面が後端に位置するときに高くした座面の後方が背凭れよりも後方に位置して好適な着座姿勢とすることができない。
【００３４】
そこで、図１０（Ｃ−１），（Ｃ−２）に示すように、ベース部材に凹状の坐骨保持部を形成し、着座時に座面を凹状に変形させることも考えられる。しかしこの場合、座面が沈み込む分、骨盤が沈み込む部位よりも相対的にアウタシートの前方部分が高くなり、大腿が押し上げられて圧迫されてしまう。アウタシートの前方部分を薄く形成すれば、大腿裏側の圧迫を低減できるが、アウタシートを薄く形成することは、感触も悪くなるので難しい。
【００３５】
図１０（Ｄ−１），（Ｄ−２）及び図１１にも示すように、本発明の実施形態に係る椅子１では、坐骨保持部５１ｂをＦＨ＜ＲＨ（図７参照）となるよう形成すると共にベース部材５１の基本スライド面５１ｃを前傾させることで、アウタシート５３の前後位置に関わらず、座の後方を高くしつつ背凭れ４０で背中をサポートし、アウタシート５３の前端付近による大腿裏側の押圧も抑制して、好適な着座姿勢を実現している。
【００３６】
このようにして、椅子１では、図１１に示すように、アウタシート５３の着座時の形状は、アウタシート５３（インナシート５２）が後端に位置していても前端に位置していても、ほとんど変化しない。そして、アウタシート５３の前端部分が前傾しているため、アウタシート５３を後端側にして使用する比較的体格が小さい使用者であっても、アウタシート５３を前端側にして使用する比較的体格が大きい使用者であっても、基本スライド面５１ｃの前方側の前傾により大腿の裏側を圧迫することなく、また、基本スライド面５１ｃの後方側の断面視直線状に前傾する形状により骨盤を支持して、好適な着座姿勢を保つことができる。
【００３７】
以上、本発明の実施形態を説明したが、本発明は本実施形態に限定されることは無く、種々変更を加えて実施することができる。
【符号の説明】
【００３８】
１        椅子                      １０      脚部
１１      脚杆                      １２      キャスター
１３      支柱                      ３０      ロッキング機構
３１      ロッキング切替レバー      ３２      昇降レバー
４０      背凭れ                    ４１      背アーム
５０      座                        ５１      ベース部材
５１ａ    ベース部材本体            ５１ｂ    坐骨保持部
５１ｃ    基本スライド面            ５１ｄ    第１ガイド部
５１ｄ１  頭部                      ５１ｄ２  基板
５１ｅ    第２ガイド部              ５１ｅ１  頭部
５１ｅ２  基板                      ５１ｅ３  受け部
５１ｆ    山形被係合部（被係合部）
５２      インナシート              ５２ａ    ノッチ
５２ｂ    変形部                    ５２ｂ１  孔部
５２ｂ２  孔部                      ５２ｂ３  梁状部
５２ｃ    第１スライド部            ５２ｃ１  通し孔
５２ｃ２  スリット                  ５２ｄ    第２スライド部
５２ｄ１  通し孔                    ５２ｄ２  スリット
５２ｅ    山形係合部（係合部）      ５２ｆ    突起部（係合部）
５２ｇ    前進規制突起              ５２ｇ１  切り抜き部
５２ｇ２  板バネ部                  ５２ｈ    リブ
５３      アウタシート              ５３ａ    座面
５４      スライドレバー            ５４ａ    位置決め部
５４ａ１  規制柱                    ５４ｂ    操作板部
５４ｃ    係合板部                  ５４ｃ１  ロック部
５４ｄ    回動軸
５１０，５１０ａ，５１０ｂ  上面部
５１１    縦壁部                    ５１２    横壁部（被係合部）
５１２ａ  切欠き                    ５１５    前壁
５２０    上面部                    ５４０    スライドロック機構
ＤＰ      最深部                    ＦＨ      高さ
ＲＨ      高さ                      Ｓ        所定距離
【要約】
【課題】座面の前後の位置に関わらず理想的な着座姿勢に近い状態で使用することができる椅子を提供する。
【解決手段】椅子１は、後方側に形成される凹状の坐骨保持部５１ｂを備えるベース部材５１と、ベース部材５１に前後移動可能に設けられ、坐骨保持部５１ｂに倣って変形可能な変形部５２ｂを備えるインナシート５２と、インナシート５２に設けられて変形部５２ｂに倣って変形可能な座面を備えるアウタシート５３と、を有し、坐骨保持部５１ｂは、前後方向の断面視において、最深部ＤＰから前後方向所定距離Ｓにおける該最深部ＤＰからの高さが前部ＦＨよりも後部ＲＨが高くなるよう形成される部位を有する。
【選択図】  図１１【図１】
0006793414.tif 000002
【図２】
0006793414.tif 000003
【図３】
0006793414.tif 000004
【図４】
0006793414.tif 000005
【図５】
0006793414.tif 000006
【図６】
0006793414.tif 000007
【図７】
0006793414.tif 000008
【図８】
0006793414.tif 000009
【図９】
0006793414.tif 000010
【図１０】
0006793414.tif 000011
【図１１】
0006793414.tif 000012